【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、１以上のレンズ群を有する後群より構成され、ズーミングに際して隣り合うレンズ群の間隔が変化するズームレンズにおいて、
広角端に比べて望遠端において、前記第１レンズ群と前記第２レンズ群の間隔が広くなり、前記第２レンズ群と前記第３レンズ群の間隔が狭くなり、
前記第２レンズ群は、負の屈折力の防振群と、該防振群の像側に配置された正の屈折力の像側部分群を有し、
像振れ補正に際して前記防振群は光軸に対して垂直方向の成分を持つように移動し、
前記防振群の焦点距離をｆ２ＩＳ、前記像側部分群の焦点距離をｆ２ｐ、望遠端における全系の焦点距離をｆＴとするとき、
０．０５０＜｜ｆ２ＩＳ｜／ｆＴ＜０．１１５
０．１０＜ｆ２ｐ／ｆＴ＜０．１８
なる条件式を満足することを特徴とするズームレンズ。
【請求項２】
前記第２レンズ群の焦点距離をｆ２、前記第３レンズ群の焦点距離をｆ３とするとき、１．２０＜｜ｆ２｜／ｆ３＜２．８０
なる条件式を満足することを特徴とする請求項１に記載のズームレンズ。
【請求項３】
前記第１レンズ群の焦点距離をｆ１とするとき、
０．３０＜ｆ１／ｆＴ＜０．８０
なる条件式を満足することを特徴とする請求項１又は２に記載のズームレンズ。
【請求項４】
前記防振群は、１枚以上の正レンズと、２枚の負レンズより構成されることを特徴とする請求項１乃至３のいずれか１項に記載のズームレンズ。
【請求項５】
前記像側部分群は、１枚以上の正レンズと１枚の負レンズより構成されることを特徴とする請求項１乃至４のいずれか１項に記載のズームレンズ。
【請求項６】
前記第１レンズ群は、正レンズと負レンズを有することを特徴とする請求項１乃至５のいずれか１項に記載のズームレンズ。
【請求項７】
前記第３レンズ群は、正レンズと負レンズを有することを特徴とする請求項１乃至６のいずれか１項に記載のズームレンズ。
【請求項８】
前記後群は、負の屈折力の第４レンズ群を有し、フォーカシングに際して前記第４レンズ群が移動することを特徴とする請求項１乃至７のいずれか１項に記載のズームレンズ。 
【請求項９】
前記後群は、負の屈折力の第４レンズ群より構成され、広角端から望遠端へのズーミングに際して、前記第１レンズ群と前記第３レンズ群と前記第４レンズ群は物体側へ移動し、前記第２レンズ群は像側に凸状の軌跡で移動し、フォーカシングに際して前記第４レンズ群が移動することを特徴とする請求項１乃至７のいずれか１項に記載のズームレンズ。 
【請求項１０】
前記後群は、物体側から像側へ順に、負の屈折力の第４レンズ群、正の屈折力の第５レンズ群より構成され、ズーミングに際して前記第２レンズ群は不動であり、広角端から望遠端へのズーミングに際して前記第１レンズ群、前記第３レンズ群、前記第４レンズ群は物体側へ移動し、前記第５レンズ群は物体側に凸状の軌跡で移動し、フォーカシングに際して前記第４レンズ群が移動することを特徴とする請求項１乃至７のいずれか１項に記載のズームレンズ。
【請求項１１】
前記第２レンズ群は、物体側から像側へ順に配置された、負の屈折力の物体側部分群、前記防振群、前記像側部分群より構成されることを特徴とする請求項９に記載のズームレンズ。
【請求項１２】
前記第２レンズ群は、物体側から像側へ順に配置された、前記防振群、前記像側部分群より構成されることを特徴とする請求項１０に記載のズームレンズ。
【請求項１３】
前記第２レンズ群は、物体側から像側へ順に配置された、正の屈折力の物体側部分群、前記防振群、前記像側部分群より構成されることを特徴とする請求項９に記載のズームレンズ。
【請求項１４】
請求項１乃至１３のいずれか１項に記載のズームレンズと、該ズームレンズによって形成される像を受光する光電変換素子とを備えることを特徴とする撮像装置。
【手続補正２】
【補正対象書類名】明細書
【補正対象項目名】００１１
【補正方法】変更
【補正の内容】
【００１１】
本発明のズームレンズは、物体側から像側へ順に配置された、正の屈折力の第１レンズ群、負の屈折力の第２レンズ群、正の屈折力の第３レンズ群、１以上のレンズ群を有する後群より構成され、ズーミングに際して隣り合うレンズ群の間隔が変化するズームレンズにおいて、
広角端に比べて望遠端において、前記第１レンズ群と前記第２レンズ群の間隔が広くなり、前記第２レンズ群と前記第３レンズ群の間隔が狭くなり、
前記第２レンズ群は、負の屈折力の防振群と、該防振群の像側に配置された正の屈折力の像側部分群を有し、
像振れ補正に際して前記防振群は光軸に対して垂直方向の成分を持つように移動し、
前記防振群の焦点距離をｆ２ＩＳ、前記像側部分群の焦点距離をｆ２ｐ、望遠端における全系の焦点距離をｆＴとするとき、
０．０５０＜｜ｆ２ＩＳ｜／ｆＴ＜０．１１５
０．１０＜ｆ２ｐ／ｆＴ＜０．１８
なる条件式を満足することを特徴としている。
【手続補正３】
【補正対象書類名】明細書
【補正対象項目名】００１４
【補正方法】変更
【補正の内容】
【００１４】
以下、本発明のズームレンズ及びそれを有する撮像装置における、最良の形態を述べる。本発明のズームレンズは、物体側から像側へ順に配置された、正の屈折力の第１レンズ群、負の屈折力の第２レンズ群、正の屈折力の第３レンズ群、１以上のレンズ群を有する後群より構成され、ズーミングに際して隣り合うレンズ群の間隔が変化する。広角端に比べて望遠端において、第１レンズ群と第２レンズ群との間隔が広く、第２レンズ群と第３レンズ群との間隔が狭くなる。更に第３レンズ群と後群の最も物体側のレンズ群との間隔が小さくなる。
【手続補正４】
【補正対象書類名】明細書
【補正対象項目名】００１５
【補正方法】変更
【補正の内容】
【００１５】
第２レンズ群は、負の屈折力の第２ＩＳレンズ系（防振群）と、第２ＩＳレンズ系の像側に配置された正の屈折力の第２ｐレンズ系（像側部分群）を有する。ズーミングに際して第２ＩＳレンズ系と第２ｐレンズ系との間隔は一定である。像振れ補正に際して第２ＩＳレンズ系は光軸に対して垂直方向の成分を持つように移動する。
【手続補正５】
【補正対象書類名】明細書
【補正対象項目名】００２３
【補正方法】変更
【補正の内容】
【００２３】
各実施例のズームレンズは、物体側から像側へ順に配置された、正の屈折力の第１レンズ群Ｌ１、負の屈折力の第２レンズ群Ｌ２、正の屈折力の第３レンズ群Ｌ３、１以上のレンズ群を有する後群ＬＲより構成される。ズーミングに際して前述のように隣り合うレンズ群の間隔が変化する。各実施例では、第１レンズ群Ｌ１が正の屈折力を有しており、レンズ全長（第１レンズ面から最終レンズ面までの距離にバックフォーカス（空気換算）の値を加えた値）の短縮化を容易にしている。
【手続補正６】
【補正対象書類名】明細書
【補正対象項目名】００５２
【補正方法】変更
【補正の内容】
【００５２】
一般的に、像振れ補正時に防振レンズ系を光軸に対して垂直方向の成分を持つように偏芯させると、偏芯収差の１つである軸上色収差が多く発生する。これを低減するためには、防振レンズ系自身で色収差の補正をすることが必要であり、このためには１枚以上の負レンズと１枚以上の正レンズを要する。加えて、像振れ補正用の第２ＩＳレンズ系Ｌ２ＩＳは条件式（１）で規定した負の屈折力を有するため、第２ＩＳレンズ系Ｌ２ＩＳ内には１枚以上の正レンズと２枚以上の負レンズを有することが好ましい。
【手続補正７】
【補正対象書類名】明細書
【補正対象項目名】００５５
【補正方法】変更
【補正の内容】
【００５５】
［実施例１］
図１の実施例１のズームレンズについて説明する。実施例１のズームレンズは、正の屈折力の第１レンズ群Ｌ１、負の屈折力の第２レンズ群Ｌ２、正の屈折力の第３レンズ群Ｌ３、負の屈折力の第４レンズ群Ｌ４より構成している。後群ＬＲは第４レンズ群Ｌ４より構成している。また、第２レンズ群Ｌ２は、物体側から像側へ順に配置された、負の屈折力の第２ａレンズ系（物体側部分群）Ｌ２ａ、像振れ補正用の負の屈折力の第２ＩＳレンズ系（防振群）Ｌ２ＩＳ、正の屈折力の第２ｐレンズ系（像側部分群）Ｌ２ｐで構成されている。開口絞りＳＰは第３レンズ群の物体側に配置しており、ズーミングに際して第３レンズ群Ｌ３と一体で移動する。
【手続補正８】
【補正対象書類名】明細書
【補正対象項目名】００６１
【補正方法】変更
【補正の内容】
【００６１】
［実施例２］
図５の実施例２のズームレンズについて説明する。実施例２のズームレンズは、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より構成している。後群ＬＲは第４レンズ群Ｌ４と第５レンズ群Ｌ５より構成している。また、第２レンズ群Ｌ２は、物体側から像側へ順に配置された、像振れ補正用の負の屈折力の第２ＩＳレンズ系（防振群）Ｌ２ＩＳ、正の屈折力の第２ｐレンズ系（像側部分群）Ｌ２ｐで構成している。開口絞りＳＰは第２レンズ群Ｌ２の像側に配置している。
【手続補正９】
【補正対象書類名】明細書
【補正対象項目名】００６９
【補正方法】変更
【補正の内容】
【００６９】
［実施例３］
図９の実施例３のズームレンズについて説明する。実施例３のズームレンズは、正の屈折力の第１レンズ群Ｌ１、負の屈折力の第２レンズ群Ｌ２、正の屈折力の第３レンズ群Ｌ３、負の屈折力の第４レンズ群Ｌ４より構成している。後群ＬＲは第４レンズ群Ｌ４より構成している。また、第２レンズ群Ｌ２は、物体側から像側へ順に配置された、正の屈折力の第２ａレンズ系（物体側部分群）Ｌ２ａ、像振れ補正用の負の屈折力の第２ＩＳレンズ系（防振群）Ｌ２ＩＳ、正の屈折力の第２ｐレンズ系（像側部分群）Ｌ２ｐで構成している。開口絞りＳＰは第３レンズ群Ｌ３の物体側に配置されており、ズーミングに際して第３レンズ群Ｌ３と一体で移動する。